Podtech/llm-jp-corpus-v4-ja_patent huggingface dataset:
【手続補正書】
【提出日】平成25年6月12日(2013.6.12)
【手続補正１】
【補正対象書類名】特許請求の範囲
【補正対象項目名】全文
【補正方法】変更
【補正の内容】
【特許請求の範囲】
【請求項１】
遊技パネルと、
該遊技パネルの前側に形成された遊技領域の所定位置に配置され、遊技者の操作によって遊技媒体が打ち込まれた遊技媒体を受入可能とされた始動口と、
前記遊技パネルの後側に配置され、所定の画像を表示可能な演出表示手段と、
前記始動口への遊技媒体の受入れに応じて所定の抽選結果を抽選する抽選手段と、
該抽選手段によって抽選された前記抽選結果を前記演出表示手段に図柄の変動後に表示させる抽選結果表示手段と、
該抽選結果表示手段によって前記演出表示手段に特定の抽選結果が表示されると、遊技者が有利となる有利遊技状態を発生させる有利遊技状態発生手段と、
前記抽選結果表示手段による前記図柄の変動中に、前記始動口への遊技媒体の受入れに応じて前記抽選手段で抽選された前記抽選結果の表示を所定数保留する保留手段と、
該保留手段によって保留された保留の数を前記演出表示手段に表示させる保留数表示手段と、
前記演出表示手段の保留の数の表示の少なくとも一部を被覆可能とされた可動体と、を具備し、
前記可動体が前記演出表示手段の保留の数の表示の少なくとも一部を被覆しても、前記被覆された保留の数の表示とは別に、前記遊技領域内に保留の数を遊技者側から視認可能に表示する
ことを特徴とする遊技機。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
流体サンプル中に存在し得る分析対象核酸を単離して増幅するプロセスであって、該プロセスが、自動化された、
ａ）第１容器内で、前記流体サンプル中に存在する他の物質から前記分析対象核酸を分離する段階と、
ｂ）フレームと該フレームに対して固着されたシール箔体とを備えた蓋体を有する第２マルチウェル・プレートを配備する段階であって、前記蓋体は、前記シール箔体と前記第２マルチウェル・プレートとの間の接触を阻止する第１位置において、前記マルチウェル・プレート上に存在する段階と、
ｃ）前記蓋体を揚動する段階と、
ｄ）前記分離された分析対象物を、前記第１容器から、前記第２マルチウェル・プレートのウェルへと移し換える段階と、
ｅ）前記フレームに固着された前記シール箔体を備える前記蓋体を、前記第２マルチウェル・プレート上に載置する段階であって、前記蓋体は、前記シール箔体と前記第２マルチウェル・プレートとの間の接触を促進する第２位置において、前記マルチウェル・プレート上に載置される段階と、
ｆ）前記シール箔体により前記第２マルチウェル・プレートを加熱シールする段階と、
ｇ）前記第２マルチウェル・プレートにおいて、シールに先立ち加えられた増幅試薬の存在下で前記分析対象物を増幅する段階と、
を含むプロセス。
【請求項２】
前記蓋体は１８０°だけ回転される請求項１に記載のプロセス。
【請求項３】
前記フレームは支持リブを有し、且つ、前記マルチウェル・プレートは対応する凹所を有し、
前記各凹所は、前記フレームの前記支持リブが、前記マルチウェル・プレート上の前記蓋体の前記第１位置において該凹所と整列しないように、且つ、前記支持リブが、前記マルチウェル・プレート上の前記蓋体の前記第２位置において該凹所と整列するように、位置決めされる請求項１又は２に記載のプロセス。
【請求項４】
前記第２位置において、前記フレームの前記支持リブは、前記マルチウェル・プレートの前記凹所内に載置される請求項３に記載のプロセス。
【請求項５】
マルチウェル・プレートと蓋体とを有するマルチウェル・プレート・セットであって、
前記蓋体は、フレームと、該フレームに対して固着されたシール箔体とを有し、
前記マルチウェル・プレート上の前記蓋体の第１位置において、前記シール箔体と前記マルチウェル・プレートの頂面との間には分離距離が配置され、且つ、第２位置において、前記シール箔体は前記マルチウェル・プレートの前記頂面と接触する、
マルチウェル・プレート・セット。
【請求項６】
前記フレームは支持リブを有し且つ前記マルチウェル・プレートは開口を有し、
前記第１位置において前記支持リブは前記開口とは異なる箇所に在り、且つ、前記第２位置において前記支持リブ及び前記開口は相互に整列する請求項５に記載のマルチウェル・プレート・セット。
【請求項７】
保持ステーションと、請求項５又は６に記載のマルチウェル・プレート・セットとを具備する分析システムであって、
前記マルチウェル・プレートは前記保持ステーションに固定される、
分析システム。
【請求項８】
前記マルチウェル・プレートは、凹所を備えた縁部を有する基部を具備し、
前記凹所に対しては前記保持ステーションにおける位置決め／固定要素が接触し、
該接触により前記マルチウェル・プレートの前記基部に対しては下向きの圧力が働くことで、前記マルチウェル・プレートは前記保持ステーション内に固定される請求項７に記載の分析システム。
【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
対象とする生物由来のゲノムDNAに含まれる、制限酵素認識部位によって挟み込まれるゲノムDNA断片について、当該ゲノムDNA断片より短い塩基長を有し、当該ゲノムDNA断片をカバーする複数の領域を特定するステップ、
特定した複数の領域を上記ゲノムDNA断片に含まれる変異を検出するためのプローブとして設計するステップを含む、プローブの設計方法。
【請求項２】
上記複数の領域は、以下の工程によって特定することを特徴とする請求項１記載のプローブの設計方法。
（1a）上記ゲノムDNAを抽出する工程
（1b）抽出したゲノムDNAを上記制限酵素で消化する工程
（1c）上記（1b）で得られたゲノムDNA断片にアダプターを連結する工程
（1d）上記アダプターにハイブリダイズするプライマーを用いて上記ゲノムDNA断片を増幅する工程
（1e）増幅した上記ゲノムDNA断片の塩基配列を決定する工程
（1f）決定した塩基配列に基づいて上記複数の領域を決定する工程
【請求項３】
上記（1b）において複数の制限酵素で上記ゲノムDNAを消化することを特徴とする請求項２記載のプローブの設計方法。
【請求項４】
上記（1c）では、上記複数の制限酵素から選ばれる１つの制限酵素若しくは、使用した上記複数の制限酵素のうち一部の制限酵素に対応するアダプターを連結することを特徴とする請求項３記載のプローブの設計方法。
【請求項５】
上記アダプターとしては、上記（1b）で得られたゲノムDNA断片の突出末端に相補的な配列を有することを特徴とする請求項２記載のプローブの設計方法。
【請求項６】
上記複数の領域は、上記ゲノムDNAに関する塩基配列情報を用いて以下の工程によって特定することを特徴とする請求項１記載のプローブの設計方法。
（2a）上記ゲノムDNAに関する塩基配列情報から上記制限酵素の認識配列を検索し、上記ゲノムDNAを上記制限酵素で消化した場合に生ずるゲノムDNA断片の塩基配列を特定する工程
（2b）上記特定した塩基配列に基づいて上記複数の領域を決定する工程
【請求項７】
上記（2a）において複数の制限酵素で上記ゲノムDNAを消化した場合に生ずるゲノムDNA断片の塩基配列を決定することを特徴とする請求項６記載のプローブの設計方法。
【請求項８】
上記（2b）では、上記複数の制限酵素から選ばれる１つの制限酵素若しくは、使用した上記複数の制限酵素のうち一部の制限酵素によって挟み込まれるゲノムDNA断片に対して上記複数の領域を決定することを特徴とする請求項７記載のプローブの設計方法。
【請求項９】
上記複数の領域は、以下の工程によって特定することを特徴とする請求項１記載のプローブの設計方法。
（3a）上記ゲノムDNAを抽出する工程
（3b）抽出したゲノムDNAを上記制限酵素で消化する工程
（3c）上記（3b）で得られたゲノムDNA断片にアダプターを連結する工程
（3d）上記アダプターにハイブリダイズするプライマーを用いて上記ゲノムDNA断片を増幅する工程
（3e）増幅した上記ゲノムDNA断片を他の制限酵素で消化する工程
（3f）上記（3e）で消化して得られたDNA断片を分離してプローブとする工程
【請求項１０】
上記（3b）において複数の制限酵素で上記ゲノムDNAを消化することを特徴とする請求項９記載のプローブの設計方法。
【請求項１１】
上記（3c）では、上記複数の制限酵素から選ばれる１つの制限酵素若しくは、使用した上記複数の制限酵素のうち一部の制限酵素に対応するアダプターを連結することを特徴とする請求項１０記載のプローブの設計方法。
【請求項１２】
上記アダプターとしては、上記（3b）で得られたゲノムDNA断片の突出末端に相補的な配列を有することを特徴とする請求項９記載のプローブの設計方法。
【請求項１３】
20〜100塩基長のプローブを設計することを特徴とする請求項１記載のプローブの設計方法。
【請求項１４】
請求項１乃至１３いずれか一項記載のプローブの設計方法により設計されたプローブと、当該プローブを固定した担体とを備えるDNAマイクロアレイ。
【請求項１５】
上記プローブは、上記担体上にて配列情報に基づいて合成されたものであることを特徴とする請求項１４記載のDNAマイクロアレイ。
【請求項１６】
検査対象の生物由来のゲノムDNAを抽出する工程；
請求項１乃至１３いずれか一項記載のプローブの設計方法において使用した制限酵素と同じ認識配列を有する制限酵素によって当該ゲノムDNAを消化する工程；
制限酵素処理で得られたゲノムDNA断片にアダプターを連結する工程；
上記アダプターにハイブリダイズするプライマーを用いて上記ゲノムDNA断片を増幅する工程；及び
増幅した上記ゲノムDNA断片を請求項１４又は１５記載のDNAマイクロアレイに接触させ、当該ゲノムDNA断片とプローブとのハイブリダイズを検出する工程
を含むDNAマイクロアレイを用いた変異検出方法。
【請求項１７】
上記ゲノムDNAを消化する工程では、複数の制限酵素で上記ゲノムDNAを消化することを特徴とする請求項１６記載のDNAマイクロアレイを用いた変異検出方法。
【請求項１８】
上記アダプターを連結する工程では、上記複数の制限酵素から選ばれる１つの制限酵素若しくは、使用した上記複数の制限酵素のうち一部の制限酵素に対応するアダプターを連結することを特徴とする請求項１７記載のDNAマイクロアレイを用いた変異検出方法。
【請求項１９】
上記アダプターとしては、上記（3b）で得られたゲノムDNA断片の突出末端に相補的な配列を有することを特徴とする請求項１６記載のDNAマイクロアレイを用いた変異検出方法。
【請求項２０】
上記検査対象の生物は、上記DNAマイクロアレイを作製する際に使用した生物とは異種の生物であることを特徴とする請求項１６記載のDNAマイクロアレイを用いた変異検出方法。
【手続補正書】
【提出日】平成24年11月27日(2012.11.27)
【手続補正１】
【補正対象書類名】特許請求の範囲
【補正対象項目名】全文
【補正方法】変更
【補正の内容】
【特許請求の範囲】
【請求項１】
モータのロータ位置を検出する検出手段の出力に応じて該モータのコイルへの通電を切り替える第１駆動手段と、
所定の時間間隔に従って前記モータの前記コイルへの通電を切り替える第２駆動手段と、
前記第１駆動手段及び前記第２駆動手段を切り替えて前記モータを駆動制御する制御手段と、を有し、
前記制御手段は、前記第１駆動手段によって前記モータを駆動制御したときに、前記ロータの回転速度が一定となるまでに要するステップ数と被駆動部材の目標ステップ数との関係に基づいて、前記第１駆動手段で前記モータを駆動してから前記第２駆動手段で該モータを駆動する第１駆動モード、及び、該第２駆動手段のみで該モータを駆動する第２駆動モードの一つを選択するものであって、
前記目標ステップ数が前記ステップ数以上である場合に前記第１駆動モードを選択し、前記目標ステップ数が前記ステップ数より小さい場合に前記第２駆動モードを選択することを特徴とするモータ駆動装置。
【請求項２】
前記ステップ数は、前記モータを駆動する電圧により変化することを特徴とする請求項１に記載のモータ駆動装置。
【請求項３】
前記ステップ数は、前記モータ駆動装置の姿勢により変化することを特徴とする請求項１又は２に記載のモータ駆動装置。
【請求項４】
前記ステップ数は、前記モータ駆動装置の環境温度により変化することを特徴とする請求項１乃至３のいずれか１項に記載のモータ駆動装置。
【請求項５】
前記第１駆動モードが選択される場合には、前記第２駆動手段にて前記モータの駆動を開始したのち、前記第１駆動手段で前記モータを駆動して、再び前記第２駆動手段で該モータを駆動することを特徴とする請求項１乃至４のいずれか１項に記載のモータ駆動装置。
【手続補正２】
【補正対象書類名】明細書
【補正対象項目名】０００７
【補正方法】変更
【補正の内容】
【０００７】
本発明の一側面としてのモータ駆動装置は、モータのロータ位置を検出する検出手段の出力に応じて該モータのコイルへの通電を切り替える第１駆動手段と、所定の時間間隔に従って前記モータの前記コイルへの通電を切り替える第２駆動手段と、前記第１駆動手段及び前記第２駆動手段を切り替えて前記モータを駆動制御する制御手段とを有し、前記制御手段は、前記第１駆動手段によって前記モータを駆動制御したときに、前記ロータの回転速度が一定となるまでに要するステップ数と被駆動部材の目標ステップ数との関係に基づいて、前記第１駆動手段で前記モータを駆動してから前記第２駆動手段で該モータを駆動する第１駆動モード、及び、該第２駆動手段のみで該モータを駆動する第２駆動モードの一つを選択するものであって、前記目標ステップ数が前記ステップ数以上である場合に前記第１駆動モードを選択し、前記目標ステップ数が前記ステップ数より小さい場合に前記第２駆動モードを選択する。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された発色手段と、
前記表示手段で第１対象を第２対象に対して拡大表示する演出を行う拡大演出手段と、
前記拡大演出手段により前記第１対象が拡大表示される場合に、前記表示手段における前記第１対象の周辺が暖色に、前記発色手段が寒色になるように、前記表示手段および前記発色手段の発色を制御する発色制御手段とを備えることを特徴とする遊技機。
【請求項２】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された第１発色手段と、
前記第１発色手段の外側周辺に配置された第２発色手段と、
前記表示手段で第１対象を第２対象に対して拡大表示する演出を行う拡大演出手段と、
前記拡大演出手段により前記第１対象が拡大表示される場合に、前記表示手段における前記第１対象の周辺が暖色に、前記第２発色手段が第１寒色に、前記第１発色手段が前記第１寒色よりも明度が低い第２寒色になるように、前記表示手段、前記第１発色手段および前記第２発色手段の発色を制御する発色制御手段とを備えることを特徴とする遊技機。
【請求項３】
請求項２記載の遊技機において、
前記発色制御手段は、前記第１対象の拡大表示の開始から拡大表示の完了までの拡大表示期間のうち第１期間では、前記表示手段における前記第１対象の周辺の明度が第１値に、前記第１発色手段および前記第２発色手段の明度の総和が第２値となるように、前記拡大表示期間のうち前記第１期間よりも後の第２期間では、前記表示手段における前記第１対象の周辺の明度が前記第１値よりも高い第３値に、前記第１発色手段および前記第２発色手段の明度の総和が前記第２値よりも低い第４値となるように発色を制御することを特徴とすることを特徴とする遊技機。
【請求項４】
請求項２又は３に記載の遊技機において、
前記表示手段で前記第１対象を複数の前記第２対象のそれぞれに対して順次拡大表示する演出を行う第２拡大演出手段を備え、
前記発色制御手段は、前記第２拡大演出手段により前記第１対象がある前記第２対象に対して拡大表示される場合に、前記表示手段における前記第１対象の周辺、前記第１発色手段および前記第２発色手段が第１暖色に、前記第２拡大演出手段により前記第１対象が次以降の前記第２対象に対して拡大表示される場合に、前記表示手段における前記第１対象の周辺、前記第１発色手段および前記第２発色手段が前記第１暖色よりも明度が高い第２暖色になるように発色を制御することを特徴とする遊技機。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された発色手段と、
前記表示手段で第１対象を第２対象に対して接近させる演出を行う接近演出手段と、
前記接近演出手段により前記第１対象が接近する場合に、前記表示手段における前記第１対象の周辺が暖色に、前記発色手段が寒色になるように、前記表示手段および前記発色手段の発色を制御する発色制御手段とを備えることを特徴とする遊技機。
【請求項２】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された第１発色手段と、
前記第１発色手段の外側周辺に配置された第２発色手段と、
前記表示手段で第１対象を第２対象に対して接近させる演出を行う接近演出手段と、
前記接近演出手段により前記第１対象が接近する場合に、前記表示手段における前記第１対象の周辺が暖色に、前記第２発色手段が第１寒色に、前記第１発色手段が前記第１寒色よりも明度が低い第２寒色になるように、前記表示手段、前記第１発色手段および前記第２発色手段の発色を制御する発色制御手段とを備えることを特徴とする遊技機。
【請求項３】
請求項２記載の遊技機において、
前記発色制御手段は、前記接近演出手段により前記第１対象が接近する場合に、前記表示手段における前記第１対象の周辺が暖色に、前記第１発色手段が暖色とコントラストをなす色に、前記第２発色手段が寒色になるように発色を制御することを特徴とする遊技機。
【請求項４】
請求項２又は３に記載の遊技機において、
前記発色制御手段は、前記第１対象が接近する場合に、前記第１対象が第１特定対象である場合は、前記表示手段における前記第１対象の周辺の明度が第１値に、前記第１発色手段および前記第２発色手段の明度の総和が第２値となるように、前記第１対象が第２特定対象である場合は、前記表示手段における前記第１対象の周辺の明度が前記第１値よりも高い第３値に、前記第１発色手段および前記第２発色手段の明度の総和が前記第２値よりも低い第４値となるように発色を制御することを特徴とする遊技機。
【請求項５】
請求項２から４のいずれかに記載の遊技機において、
前記識別情報の停止表示を確定するに先立って、第１演出、または前記所定の内容で前記識別情報が停止表示する確率が前記第１演出よりも高い第２演出を行う確定表示前演出手段を備え、
前記接近演出手段は、前記確定表示前演出手段で前記第１演出または前記第２演出を行っている場合に前記第１対象を前記第２対象に対して接近させる演出を行い、
前記発色制御手段は、前記第１演出中に前記第１対象が接近する場合に、前記表示手段における前記第１対象の周辺の明度が第１値に、前記第１発色手段および前記第２発色手段の明度の総和が第２値となるように、前記第２演出中に前記第１対象が接近する場合に、前記表示手段における前記第１対象の周辺の明度が前記第１値よりも高い第３値に、前記第１発色手段および前記第２発色手段の明度の総和が前記第２値よりも低い第４値となるように発色を制御することを特徴とする遊技機。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された発色手段と、
前記表示手段で第１対象を第２対象に対して接近させる演出を行う接近演出手段と、
前記接近演出手段により前記第１対象が接近する場合に、前記第１対象が暖色に、前記発色手段が第１寒色に、前記表示手段における前記第１対象の周辺が前記第１寒色よりも明度が低い第２寒色になるように、前記表示手段および前記発色手段の発色を制御する発色制御手段とを備えることを特徴とする遊技機。
【請求項２】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された第１発色手段と、
前記第１発色手段の外側周辺に配置された第２発色手段と、
前記表示手段で第１対象を第２対象に対して接近させる演出を行う接近演出手段と、
前記接近演出手段により前記第１対象が接近する場合に、前記第１対象が暖色に、前記第２発色手段が第１寒色に、前記第１発色手段が前記第１寒色よりも明度が低い第２寒色に、前記表示手段における前記第１対象の周辺が前記第２寒色よりも明度が低い第３寒色になるように、前記表示手段、前記第１発色手段および前記第２発色手段の発色を制御する発色制御手段とを備えることを特徴とする遊技機。
【請求項３】
請求項２記載の遊技機において、
前記識別情報の停止表示を確定するに先立って、前記所定の内容の一部を構成する内容で前記識別情報の一部を停止表示し、前記識別情報が前記所定の内容となるように前記識別情報の残部を変更表示する識別情報変更表示手段を備え、
前記接近演出手段は、前記識別情報変更表示手段で前記識別情報の一部を停止表示した後でかつ前記識別情報の残部を停止表示する前に、前記第１対象を前記第２対象に対して接近させる演出を行い、
前記発色制御手段は、前記識別情報の一部を停止表示した後でかつ前記識別情報の残部を停止表示する前に前記第１対象が接近する場合に、前記第１対象が暖色に、前記第２発色手段が前記第１寒色に、前記第１発色手段が前記第２寒色に、前記表示手段における前記第１対象の周辺が前記第３寒色になるように発色を制御することを特徴とする遊技機。
【請求項４】
請求項２又は３に記載の遊技機において、
前記識別情報の停止表示を確定するに先立って、前記所定の内容の一部を構成する内容で前記識別情報の一部を停止表示し、前記識別情報が前記所定の内容となるように前記識別情報の残部を変更表示する識別情報変更表示手段を備え、
前記発色制御手段は、前記識別情報変更表示手段で変更表示を行っている間は、前記第１発色手段および前記第２発色手段が暖色となるように発色を制御することを特徴とする遊技機。
【請求項５】
請求項２から４のいずれかに記載の遊技機において、
前記識別情報の停止表示を確定するに先立って、前記所定の内容の一部を構成する内容で前記識別情報の一部を停止表示し、前記識別情報の残部を変更表示する第１識別情報変更表示手段と、
前記第１識別情報変更表示手段で変更表示を行った後に、前記第１識別情報変更表示手段による演出とは異なる態様で、前記識別情報が前記所定の内容となるように前記識別情報の残部を変更表示する第２識別情報変更表示手段とを備え、
前記発色制御手段は、前記第１識別情報変更表示手段による演出から前記第２識別情報変更表示手段による演出に移行する間は、前記第１発色手段および前記第２発色手段が黄色となるように発色を制御することを特徴とする遊技機。
【請求項６】
請求項２から５のいずれかに記載の遊技機において、
前記発色制御手段は、前記所定の内容で前記識別情報が停止表示する場合は、前記第１発色手段および前記第２発色手段が黄色となるように発色を制御することを特徴とする遊技機。
【請求項７】
請求項２から６のいずれかに記載の遊技機において、
前記第１発色手段は、当該遊技機の前面中央に配置された前記表示手段の外側周辺に配
置されていることを特徴とする遊技機。
【請求項８】
請求項２から７のいずれかに記載の遊技機において、
前記第２発色手段は、当該遊技機の前面周縁に配置されていることを特徴とする遊技機。
【手続補正書】
【提出日】平成25年10月4日(2013.10.4)
【手続補正１】
【補正対象書類名】特許請求の範囲
【補正対象項目名】全文
【補正方法】変更
【補正の内容】
【特許請求の範囲】
【請求項１】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された発色手段と、
前記表示手段で第１対象を第２対象に対して拡大表示する演出を行う拡大演出手段と、
前記拡大演出手段により前記第１対象が拡大表示される場合に、前記第１対象が暖色に、前記発色手段が第１寒色に、前記表示手段における前記第１対象の周辺が前記第１寒色よりも明度が低い第２寒色になるように、前記表示手段および前記発色手段の発色を制御する発色制御手段とを備えることを特徴とする遊技機。
【請求項２】
所定条件の成立を契機として特賞状態を発生させるための抽選を行い、表示手段で識別情報を変更表示し、前記抽選の結果に基づいて前記特賞状態を発生させると判定した場合は、所定の内容で前記識別情報を停止表示し、前記特賞状態を発生させる遊技機であって、
前記表示手段の外側周辺に配置された第１発色手段と、
前記第１発色手段の外側周辺に配置された第２発色手段と、
前記表示手段で第１対象を第２対象に対して拡大表示する演出を行う拡大演出手段と、
前記拡大演出手段により前記第１対象が拡大表示される場合に、前記第１対象が暖色に、前記第２発色手段が第１寒色に、前記第１発色手段が前記第１寒色よりも明度が低い第２寒色に、前記表示手段における前記第１対象の周辺が前記第２寒色よりも明度が低い第３寒色になるように、前記表示手段、前記第１発色手段および前記第２発色手段の発色を制御する発色制御手段とを備えることを特徴とする遊技機。
【請求項３】
請求項２記載の遊技機において、
遊技の主制御を行う主制御手段と、前記主制御手段の制御により前記表示手段、前記第１発色手段および前記第２発色手段の表示制御を行う表示制御手段とを備え、
前記主制御手段は、
前記抽選を行う抽選手段と、
前記抽選手段の抽選結果に基づいて第１コマンドを送信する第１コマンド送信手段と、
前記抽選手段の抽選結果に基づいて第２コマンドを送信する第２コマンド送信手段とを備え、
前記表示制御手段は、
前記第１コマンドを受信する第１コマンド受信手段と、
前記第２コマンドを受信する第２コマンド受信手段と、
前記第１コマンド受信手段で受信した第１コマンドに基づいて前記抽選結果に係る情報を特定する第１情報特定手段と、
前記第２コマンド受信手段で受信した第２コマンドに基づいて前記抽選結果に係る情報を特定する第２情報特定手段と、
前記第１情報特定手段で特定した情報および前記第２情報特定手段で特定した情報が所定関係にあるか否かを判定する情報判定手段と、
前記情報判定手段で前記所定関係にないと判定した場合は、前記発色制御手段による発色制御を禁止する発色制御禁止手段とを備えることを特徴とする遊技機。
【手続補正書】
【提出日】平成25年7月24日(2013.7.24)
【手続補正１】
【補正対象書類名】特許請求の範囲
【補正対象項目名】全文
【補正方法】変更
【補正の内容】
【特許請求の範囲】
【請求項１】
デバイスの表面を横切るように流体流の向きを変えるためのフローガイドであって、
前記フローガイドは、
互いに直交する第１方向および第２方向に沿って規定された第１平面内に前記表面が全体的に配置されるように、前記フローガイドに対して前記デバイスを位置づけるための位置決め構成と、
流体流を導く流路であって、前記第１方向において互いに間隔の空いた側壁を有し、前記第１方向および前記第２方向と直交する第３方向に延びる流路と、
前記流路の側壁の間に延びる外側流路面と、を備え、
前記外側流路面の縁が、前記第１方向および前記第３方向により規定される第２平面内で凸形をなして前記第１平面に対する高さが非一様である排出口を画成し、これによって、前記外側流路面の縁と前記第１平面との間を流れるように規制された流体に非一様の速度プロフィールを与えることを特徴とするフローガイド。
【請求項２】
前記外側流路面の縁が、前記第１平面および前記第２平面と直交する第３平面について対称であることを特徴とする請求項１に記載のフローガイド。
【請求項３】
前記外側流路面の縁が湾曲していることを特徴とする請求項１または２に記載のフローガイド。
【請求項４】
前記位置決め構成が、前記第１平面内に全体的に配置され、前記デバイスの表面に寄りかかるように構成されたリムの基部を備えることを特徴とする請求項１ないし３のいずれかに記載のフローガイド。
【請求項５】
前記フローガイドが、前記側壁のそれぞれから全体的に前記第２方向に延出するリムを備え、各リムが全体的に前記第３方向に延出するリムガイド面を画成し、各リムが前記第１平面と平行な平面内で凸形をなして流体が前記デバイスの表面を横切って流れるときに前記流路からの流体流を前記第１方向に発散させることを特徴とする請求項１ないし３のいずれかに記載のフローガイド。
【請求項６】
前記位置決め構成が、前記第１平面内に全体的に配置され前記デバイスの表面に寄りかかるように構成されたリムの基部を備え、前記リムガイド面が前記デバイスの表面から前記第３方向に延出することを特徴とする請求項５に記載のフローガイド。
【請求項７】
前記リムガイド面のそれぞれが、前記第１方向および前記第２方向によって規定される前記第１平面内で全体的に湾曲することを特徴とする請求項５または６に記載のフローガイド。
【請求項８】
前記デバイスが実質的に円筒形であり、前記表面が前記デバイスの端面であり、前記デバイスに沿って長手方向に前記流路の一部を画成して前記デバイスに沿って長手方向に前記流体流を導くように前記フローガイドが構成されることを特徴とする請求項１ないし７のいずれかに記載のフローガイド。
【請求項９】
前記流路が、前記デバイスに沿った流路の一部と、前記外側流路面の縁に隣接する流路の一部との間に空洞を備え、該空洞が、前記デバイスに沿った流れから前記デバイスの端面を横切る流れへと前記流体流を曲げるように成形されることを特徴とする請求項８に記載のフローガイド。
【請求項１０】
前記フローガイドが前記流路と流体連通する注入口を備え、該注入口が、前記外側流路面の縁に隣接する前記流路の一部よりも大きな断面流路面積を有することを特徴とする請求項１ないし９のいずれかに記載のフローガイド。
【請求項１１】
前記流路が連続的であり、前記流体流に対する障害物を内部に持たないことを特徴とする請求項１ないし９のいずれかに記載のフローガイド。
【請求項１２】
前記表面が前記第１平面に配置されるように前記デバイスを位置決めするとき、前記外側流路面と対向する内側流路面が前記デバイスによって画成されることを特徴とする請求項１ないし１１のいずれかに記載のフローガイド。
【請求項１３】
レンズまたは光学ウインドウを有する横方向端面と、請求項１ないし１２のいずれかに記載のフローガイドとを備え、デバイスに沿って長手方向に流体流を導きデバイスの前記横方向端面を横切るように前記流体流の向きを変える、光学デバイスであって、
前記フローガイドが前記光学デバイスと一体的に形成されるか、または前記光学デバイスから分離可能であることを特徴とする光学デバイス。
【請求項１４】
前記光学デバイスが内視鏡であることを特徴とする請求項１３に記載の光学デバイス。
【請求項１５】
前記光学デバイスが腹腔鏡であることを特徴とする請求項１３または１４に記載の光学デバイス。
【手続補正書】
【提出日】平成24年12月11日(2012.12.11)
【手続補正１】
【補正対象書類名】特許請求の範囲
【補正対象項目名】全文
【補正方法】変更
【補正の内容】
【特許請求の範囲】
【請求項１】
被検体の管腔臓器を含む断面像若しくは前記断面像に基づき作成された３次元画像を表示する表示部を備えた医用画像表示装置であって、
前記断面像若しくは前記３次元画像上に関心領域を設定する関心領域設定部と、
前記関心領域の移動操作情報を取得する移動操作情報取得部と、
前記移動操作情報に基づき前記関心領域の位置情報及び形状情報を更新する関心領域更新部と、
更新された関心領域の位置情報及び形状情報を更新される毎に記憶する記憶部と、
更新される毎に記憶された位置情報及び形状情報を連結して３次元関心領域を作成する３次元関心領域作成部と、
前記３次元関心領域に基づき前記管腔臓器の芯線を抽出する芯線抽出部を備えることを特徴とする医用画像表示装置。
【請求項２】
請求項１に記載の医用画像表示装置において、
前記移動操作情報取得部は前記移動操作情報として、移動量、移動方向、移動速度を含むことを特徴とする医用画像表示装置。
【請求項３】
請求項２に記載の医用画像表示装置において、
前記関心領域更新部は前記移動速度に応じて前記関心領域の変形の程度を制御することを特徴とする医用画像表示装置。
【請求項４】
請求項1乃至３のいずれか一項に記載の医用画像表示装置において、
前記関心領域更新部は移動後の関心領域の周辺の画素値に基づいて前記関心領域の変形の程度を制御することを特徴とする医用画像表示装置。
【請求項５】
被検体の管腔臓器を含む断面像若しくは前記断面像に基づき作成された３次元画像を表示する表示ステップを備えた医用画像表示方法であって、
前記断面像若しくは前記３次元画像上に関心領域を設定する関心領域設定ステップと、
前記関心領域の移動操作情報を取得する移動操作情報取得ステップと、
前記移動操作情報に基づき前記関心領域の位置情報及び形状情報を更新する関心領域更新ステップと、
更新された関心領域の位置情報及び形状情報を更新される毎に記憶する記憶ステップと、
更新される毎に記憶された位置情報及び形状情報を連結して３次元関心領域を作成する
３次元関心領域作成ステップと、
前記３次元関心領域に基づき前記管腔臓器の芯線を抽出する芯線抽出ステップを備えることを特徴とする医用画像表示方法。
【手続補正２】
【補正対象書類名】明細書
【補正対象項目名】００２２
【補正方法】変更
【補正の内容】
【００２２】
(ステップ202)
CPU2は、取得された画像データを用いて断面像や3次元画像を作成し、表示メモリ5を介して表示装置6に作成された断面像や3次元画像を表示させる。ここで、断面像とはステップ201で取得された3次元的に積層された医用画像データを任意の角度で切断したときの断面に相当する画像であり、3次元画像とはボリュームレンダリング法やサーフェイスレンダリング法など種々の3次元画像再構成法を用いて作成された画像を指す。例えば、x軸、y軸、z軸それぞれの方向で断面像を作成し、図3に示すように同時に表示装置6に表示する。図3の例では、アキシャル像300、サジタル像301、コロナル像302を表示している。
【手続補正３】
【補正対象書類名】明細書
【補正対象項目名】００２６
【補正方法】変更
【補正の内容】
【００２６】
(ステップ206)
CPU2は、ステップ205で抽出された領域もしくは芯線を表示装置6に表示させる。例えば、抽出された領域を、ステップ201で取得された画像データから作成された断面像上に重畳表示したり、ボリュームレンダリングやサーフェイスレンダリング法などの3次元画像再構成法を用いて3次元画像として表示したりする。
図6に表示例として、抽出された領域600をアキシャル像300、サジタル像301、コロナル像302上に半透明の色で重畳表示した重畳画像と、抽出された領域の3次元画像601を示す。なお、前記重畳画像と前記3次元画像は、同時に表示しても良いし、別々に表示しても良い。
さらに、図6に示したような重畳画像や3次元画像に、抽出された芯線を投影表示しても良い。
【手続補正４】
【補正対象書類名】明細書
【補正対象項目名】００５１
【補正方法】変更
【補正の内容】
【００５１】
(ステップ1202)
CPU2は、ステップ1201で抽出された領域を表示装置6に表示させる。例えば、抽出された領域を、ステップ201で取得された画像データから作成された断面像上に重畳表示したり、ボリュームレンダリングやサーフェイスレンダリング法などの3次元画像再構成法を用いて3次元画像として表示したりする。なお、前記重畳画像と前記3次元画像は、同時に表示しても良いし、別々に表示しても良い。
【手続補正５】
【補正対象書類名】明細書
【補正対象項目名】００５７
【補正方法】変更
【補正の内容】
【００５７】
(ステップ1304)
CPU2は、ステップ502で取得したポインタ移動情報と周辺の画素値に基づき、移動後の関心領域を変形させる。関心領域の変形のさせ方は第1の実施形態と同様であるが、ポテンシャルエネルギーui(j)を以下のように設定してもよい。
関心領域の重心805と制御点804(制御点iとする)とを結ぶ半直線802上の位置に依存するポテンシャルエネルギーui(j)((図15の1501や1502)を設定する。ステップ1201で抽出された領域を500とし、領域内と領域外の境界で最もポテンシャルエネルギーが低くなるように設定する。大腸などのように分岐がない臓器には図15の1501に示すような制御点が領域内部に入るとポテンシャルエネルギーが高くなるよう設定するのが望ましい。一方、血管や気管支のように分岐がある臓器の場合は、図15の1502のように、領域内部においても境界付近であればポテンシャルが小さくなるように設定するのが望ましい。
【手続補正書】
【提出日】平成25年11月8日(2013.11.8)
【手続補正１】
【補正対象書類名】特許請求の範囲
【補正対象項目名】全文
【補正方法】変更
【補正の内容】
【特許請求の範囲】
【請求項１】
被検者眼のチン氏帯の脆弱度を測定する眼科装置であって、
被検者眼の視線を誘導するための視線誘導手段と、
被検者の眼球を異なる方向に移動するための刺激が与えられた後、前記視線誘導手段によって視線が誘導された被検者眼の前眼部画像を得る画像取得手段と、
前記画像取得手段によって取得された前眼部画像に基づき、視線が移動された眼球に対する水晶体の遅れを検出する検出手段と、
を備えることを特徴とする眼科装置。
【請求項２】
請求項１の眼科装置において、
前記検出手段は、前記前眼部画像に基づき、基準状態にある水晶体の位置に対する水晶体の位置変化を検出して前記遅れを検出することを特徴とする眼科装置。
【請求項３】
請求項１の眼科装置において、
前記画像取得手段は少なくとも２枚の前眼部画像を得る手段であり、
前記検出手段は、各前眼部画像における眼球の基準部位に対する水晶体の位置情報をそれぞれ検出して前記遅れを検出することを特徴とする眼科装置。
【請求項４】
請求項１〜３の何れかの眼科装置において、前記検出手段によって検出された前記遅れに基づいてチン氏帯の脆弱度を判定する判定手段を備えることを特徴とする眼科装置。
【請求項５】
請求項１の眼科装置において、被検者の眼球を異なる方向に移動するための刺激は、視線を誘導する視標を持つ視標呈示手段、被検者の顔を支持する顔支持ユニットの移動又は被検者眼の瞬きによって与えられることを特徴とする眼科装置。
【手続補正２】
【補正対象書類名】明細書
【補正対象項目名】０００６
【補正方法】変更
【補正の内容】
【０００６】
上記課題を解決するために、本発明は以下のような構成を備えることを特徴とする。
（１）  被検者眼のチン氏帯の脆弱度を測定する眼科装置であって、被検者眼の視線を誘導するための視線誘導手段と、被検者の眼球を異なる方向に移動するための刺激が与えられた後、前記視線誘導手段によって視線が誘導された被検者眼の前眼部画像を得る画像取得手段と、前記画像取得手段によって取得された前眼部画像に基づき、視線が移動された眼球に対する水晶体の遅れを検出する検出手段と、を備えることを特徴とする。
（２）  （１）の眼科装置において、前記検出手段は、前記前眼部画像に基づき、基準状態にある水晶体の位置に対する水晶体の位置変化を検出して前記遅れを検出することを特徴とする。
（３）  （１）の眼科装置において、前記画像取得手段は少なくとも２枚の前眼部画像を得る手段であり、前記検出手段は、各前眼部画像における眼球の基準部位に対する水晶体の位置情報をそれぞれ検出して前記遅れを検出することを特徴とする。
（４）  （１）〜（３）の何れかの眼科装置において、前記検出手段によって検出された前記遅れに基づいてチン氏帯の脆弱度を判定する判定手段を備えることを特徴とする。
（５）  （１）の眼科装置において、被検者の眼球を異なる方向に移動するための刺激は、視線を誘導する視標を持つ視標呈示手段、被検者の顔を支持する顔支持ユニットの移動又は被検者眼の瞬きによって与えられることを特徴とする。
【手続補正書】
【提出日】平成25年10月8日(2013.10.8)
【手続補正１】
【補正対象書類名】特許請求の範囲
【補正対象項目名】全文
【補正方法】変更
【補正の内容】
【特許請求の範囲】
【請求項１】
学習机の天板上を照明するための照明具であって、
前記天板の上方に、天板の長さ方向に沿って配列される多数個のＬＥＤライトを含む第１の長手光源と、
前記第１の長手光源に隣接配置され、多数個のＬＥＤライトを含み、前記第１の長手光源と平行に延びる少なくとも一列の第２の長手光源と、
前記第１の長手光源および第２の長手光源を、個別に、点灯および消灯を行うための操作スイッチと、
を含むことを特徴とする、学習家具用照明具。
【請求項２】
学習机の天板上を照明するための照明具であって、
前記天板の上方に、天板の長さ方向に沿って配列される第１の長手光源と、
前記第１の長手光源の長さ方向両側もしくは片側一方または第１の長手光源に隣接配置され、多数個のＬＥＤライトを含み、前記第１の長手光源によって照明される天板上の照明領域の両側もしくは片側一方または照明領域の長さ方向に交差する領域を、前記第１の長手光源の照明領域と全部または一部が重複するように照明するための少なくとも１つのスポット照明用光源と、
前記第１の長手光源およびスポット照明用光源を、個別に、点灯および消灯を行うための操作スイッチと、
を含むことを特徴とする、学習家具用照明具。
【手続補正２】
【補正対象書類名】明細書
【補正対象項目名】０００５
【補正方法】削除
【補正の内容】
【手続補正３】
【補正対象書類名】明細書
【補正対象項目名】０００６
【補正方法】変更
【補正の内容】
【０００６】
請求項１記載の発明は、学習机の天板上を照明するための照明具であって、前記天板の上方に、天板の長さ方向に沿って配列される多数個のＬＥＤライトを含む第１の長手光源と、前記第１の長手光源に隣接配置され、多数個のＬＥＤライトを含み、前記第１の長手光源と平行に延びる少なくとも一列の第２の長手光源と、前記第１の長手光源および第２の長手光源を、個別に、点灯および消灯を行うための操作スイッチと、を含むことを特徴とする、学習家具用照明具である。
【手続補正４】
【補正対象書類名】明細書
【補正対象項目名】０００７
【補正方法】変更
【補正の内容】
【０００７】
請求項２記載の発明は、学習机の天板上を照明するための照明具であって、前記天板の上方に、天板の長さ方向に沿って配列される第１の長手光源と、前記第１の長手光源の長さ方向両側もしくは片側一方または第１の長手光源に隣接配置され、多数個のＬＥＤライトを含み、前記第１の長手光源によって照明される天板上の照明領域の両側もしくは片側一方または照明領域の長さ方向に交差する領域を、前記第１の長手光源の照明領域と全部または一部が重複するように照明するための少なくとも１つのスポット照明用光源と、前記第１の長手光源およびスポット照明用光源を、個別に、点灯および消灯を行うための操作スイッチと、を含むことを特徴とする、学習家具用照明具である。
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
請求項１記載の発明によれば、学習家具用照明具は、学習机の天板の上方に、第１の長手光源と、第１の長手光源に隣接配置される少なくとも一列の第２の長手光源とを含んでいる。第１および第２の長手光源は、ともに、天板の長さ方向に沿って配列される多数個のＬＥＤライトを含んでいることから、これらのＬＥＤライトによって、照明に伴う消費電力の低減を図ることができるとともに、第１および第２の長手光源の長寿命化を図ることができる。
【手続補正８】
【補正対象書類名】明細書
【補正対象項目名】００１２
【補正方法】変更
【補正の内容】
【００１２】
つまり、照明に伴う消費電力と天板上の照らし具合とをユーザの好みに応じて選択できる。
請求項２記載の発明によれば、学習家具用照明具は、学習机の天板の上方に、天板の長さ方向に沿って配列される第１の長手光源を含んでいる。
また、学習家具用照明具は、第１の長手光源の長さ方向両側または片側一方に設けられるスポット照明用光源を少なくとも１つ含んでいる。スポット照明用光源は、多数個のＬＥＤライトを含み、第１の長手光源によって照明される天板上の照明領域の両側もしくは片側一方または照明領域の長さ方向に交差する領域を、第１の長手光源の照明領域と一部重複するように照明する。これらのＬＥＤライトによって、照明に伴う消費電力の低減を図ることができるとともに、スポット照明用光源の長寿命化を図ることができる
そして、学習家具用照明具は、さらに操作スイッチを含んでおり、この操作スイッチを操作することによって、第１の長手光源およびスポット照明用光源を、個別に、点灯および消灯させることができる。
【手続補正書】
【提出日】平成24年11月20日(2012.11.20)
【手続補正１】
【補正対象書類名】特許請求の範囲
【補正対象項目名】全文
【補正方法】変更
【補正の内容】
【特許請求の範囲】
【請求項１】
第１筐体と、第２筐体と、前記第１筐体に連結されているヒンジ部と、
前記第２筐体に連結され、前記ヒンジ部とヒンジ回転軸を通して回転可能に連結されたヒンジ本体とを有し、
前記ヒンジ本体は支持部を内含し、前記ヒンジ回転軸は前記第１筐体と前記支持部に連結し、
前記第１筐体と前記第２筐体が開状態では、前記支持部は前記ヒンジ本体から突出し、
前記第１筐体と前記第２筐体が閉状態では、前記支持部は前記ヒンジ本体から突出しない
ことを特徴とする折畳み式携帯機器。
【請求項２】
請求項１に記載の折畳み式携帯機器において、
前記ヒンジ本体は、前記ヒンジ部により回転可能に挟持されている
ことを特徴とする折畳み式携帯機器。
【請求項３】
請求項１又は２に記載の折畳み式携帯機器において、
前記ヒンジ本体は副操作面窓を有し、
前記支持部は前記副操作面窓おいて、
前記ヒンジ回転軸の方向に垂直な断面の形状として、円弧形状部分及び前記円弧形状部分以外の部分を有し、
前記第１筐体と前記第２筐体が開状態では、前記円弧形状部分が前記副操作面窓から突出し、前記支持部を形成し、
前記第１筐体と前記第２筐体が閉状態では、前記円弧形状部分以外の部分が、前記副操作面窓と対面することにより前記副操作面窓から突出しない
ことを特徴とする折畳み式携帯機器。
【請求項４】
請求項３に記載の折畳み式携帯機器において、
前記ヒンジ本体は、前記副操作面窓に対向する操作面窓と、前記円弧形状部分以外の部分に設けられた機能部とを有し、
前記第１筐体と前記第２筐体が開状態では、前記円弧形状部分が前記副操作面窓から突出して前記支持部を形成すると共に、前記機能部が前記操作面窓から露出し、
前記第１筐体と前記第２筐体が閉状態では、前記円弧形状部分以外の部分及び前記機能部が、前記副操作面窓と対面することにより前記副操作面窓から突出しない
ことを特徴とする折畳み式携帯機器。
【請求項５】
請求項３又は４に記載の折畳み式携帯機器において、
前記円弧形状部分以外の部分は平面形状部分である
ことを特徴とする折畳み式携帯機器。
【請求項６】
請求項１〜５のいずれか１項に記載の折畳み式携帯機器において、
前記第１筐体と前記第２筐体が開状態と閉状態の間では、前記支持部の少なくとも一部が副操作面窓から突出される
ことを特徴とする折畳み式携帯機器。
【手続補正書】
【提出日】平成24年11月29日(2012.11.29)
【手続補正１】
【補正対象書類名】特許請求の範囲
【補正対象項目名】全文
【補正方法】変更
【補正の内容】
【特許請求の範囲】
【請求項１】
音声出力可能な子局と、無線により子局と接続される親局とを備え、親局と子局間の交信信号として、制御情報を含む制御信号とデータ情報を含むデータ信号を有する無線通信システムであって、
前記親局は、外部から緊急情報を受信する緊急情報受信部と、該受信した緊急情報に基づき緊急通報情報を作成する親局制御部と、前記作成した緊急通報情報を前記制御信号に含めて子局へ送信する親局送受信部とを備え、
前記子局は、親局から送信された緊急通報情報を含む制御信号を受信する子局送受信部と、該受信した制御信号中の緊急通報情報に基づき音声信号を作成する子局制御部と、該作成した音声信号を出力するスピーカとを備えることを特徴とする無線通信システム。
【請求項２】
前記制御信号は、親局と子局間の同期確立のための同期信号であることを特徴とする、
請求項１記載の無線通信システム。
【請求項３】
前記子局は、複数の音声テキストを格納する音声テキスト格納部を備え、
前記親局が作成する緊急通報情報には、前記音声テキスト格納部が格納する複数の音声テキストのいずれかを指定する情報番号が含まれ、
前記子局は、該情報番号で指定された音声テキストに基づき音声信号を作成して音声信号を出力することを特徴とする、請求項１または請求項２記載の無線通信システム。
【請求項４】
前記子局は、１つの情報番号に対し複数の音声テキストを対応付けて格納する音声パターンテーブルを備え、前記親局から送信された情報番号に対応する複数の音声テキストに基づき音声信号を作成して音声信号を出力することを特徴とする、請求項３記載の無線通信システム。
【請求項５】
音声出力可能な子局と、無線により子局と接続される親局とを備えた無線通信システム
であって、
前記親局は、外部から緊急情報を受信する緊急情報受信部と、該受信した緊急情報に基づき、情報番号を含む緊急通報情報を作成する親局制御部と、前記作成した緊急通報情報を子局へ送信する親局送受信部とを備え、
前記子局は、親局から送信された情報番号を含む緊急通報情報を受信する子局送受信部と、複数の音声テキストをそれぞれ音声番号と対応付けて格納する音声テキスト格納部と、１つの前記情報番号に対し複数の音声番号を対応付けて格納する音声パターンテーブルと、前記親局から受信した前記情報番号、前記音声パターンテーブルの情報、前記音声テキスト格納部の情報に基づき、前記情報番号により指定される音声テキストから音声信号を作成する子局制御部と、信号を出力するスピーカとを備えることを特徴とする、無線通信システム。
【請求項６】
前記子局は、表示装置を備え、前記親局から送信された情報番号に対応する複数の音声テキストに基づき文字列を表示することを特徴とする、請求項１〜５のいずれか１項に記載の無線通信システム。